(57)【要約】【課題】エンジンに対する組み付け性を向上させることのできるエンジンカバーの組み付け方法を提供する。【解決手段】エンジン２０の上面にはインタークーラー３０が配置されている。エンジン２０は、エンジンカバー４０に設けられた爪部５０が嵌まる係合部１６を有した支持部材７０を備える。エンジンカバー４０はインタークーラー３０の上方に組み付けられるカバーであってインタークーラー３０に対向する側の面は、インタークーラー３０に向かって突出した凸部６５と爪部５０とを有する。インタークーラー３０においてエンジンカバー４０に対向する面は、車両の前後方向に延びており凸部６５が嵌まる凹部３２を有する。エンジンカバーの組み付け方法は、凸部６５を凹部３２に嵌める第１工程と、第１工程の後、凸部６５を凹部３２に沿わせながらエンジンカバー４０をスライドさせることにより爪部５０を係合部１６に嵌める第２工程とを含んでいる。【選択図】図３
2019019710.tif 000002
【特許請求の範囲】
【請求項１】
車両用のエンジンの上方にエンジンカバーを組み付ける方法であって、
前記エンジンの上面にはインタークーラーが配置されており、
前記エンジンは、前記エンジンカバーに設けられた爪部が嵌まる係合部を有した支持部材を備えており、
前記エンジンカバーは、前記インタークーラーの上方に組み付けられるカバーであって、同エンジンカバーにおいて前記インタークーラーに対向する側の面は、前記インタークーラーに向かって突出した凸部と、前記爪部と、を有しており、
前記インタークーラーにおいて前記エンジンカバーに対向する面は、車両の前後方向に延びており前記凸部が嵌まる凹部を有しており、
前記エンジンカバーの前記凸部を、前記インタークーラーの前記凹部に嵌める第１工程と、
前記第１工程の後、前記凸部を前記凹部に沿わせながら前記エンジンカバーをスライドさせることにより前記エンジンカバーの前記爪部を前記係合部に嵌める第２工程と、を含む
エンジンカバーの取り付け方法。
【発明の詳細な説明】
【技術分野】
【０００１】
この発明は、エンジンカバーの取り付け方法に関する。
【背景技術】
【０００２】
車両用のエンジンの上面には、意匠性や静粛性などを高めるためにエンジンカバーを設けることがある。
こうしたエンジンカバーをエンジンに組み付ける方法として、例えば特許文献１に記載の方法では、エンジンカバーに設けられた挿入部をエンジン側に設けられた取り付け孔に挿入するようにしている。
【先行技術文献】
【特許文献】
【０００３】
【特許文献１】特開２００５−３３１０６７号公報
【発明の概要】
【発明が解決しようとする課題】
【０００４】
ところで、エンジンカバーの組み付けに際して、エンジンカバーをエンジンに組み付けるための組み付け部（例えば上述した挿入部や取り付け孔など）がエンジンカバーなどで隠れてしまうと、作業者は組み付け部を目視できないために、エンジンカバーをエンジンに組み付けることが困難になる。
【０００５】
この発明は、こうした実情に鑑みてなされたものであって、その目的は、エンジンに対する組み付け性を向上させることのできるエンジンカバーの組み付け方法を提供することにある。
【課題を解決するための手段】
【０００６】
上記課題を解決するエンジンカバーの組み付け方法は、車両用のエンジンの上方にエンジンカバーを組み付ける方法であって、前記エンジンの上面にはインタークーラーが配置されており、前記エンジンは、前記エンジンカバーに設けられた爪部が嵌まる係合部を有した支持部材を備えている。また、前記エンジンカバーは、前記インタークーラーの上方に組み付けられるカバーであって、同エンジンカバーにおいて前記インタークーラーに対向する側の面は、前記インタークーラーに向かって突出した凸部と、前記爪部と、を有している。また、前記インタークーラーにおいて前記エンジンカバーに対向する面は、車両の前後方向に延びており前記凸部が嵌まる凹部を有している。そして、この組み付け方法は、前記エンジンカバーの前記凸部を、前記インタークーラーの前記凹部に嵌める第１工程と、前記第１工程の後、前記凸部を前記凹部に沿わせながら前記エンジンカバーをスライドさせることにより前記エンジンカバーの前記爪部を前記係合部に嵌める第２工程と、を含んでいる。
【０００７】
同方法では、エンジンカバーに設けられた凸部をインタークーラーに設けられた凹部に沿わせながらエンジンカバーをスライドさせることにより、エンジンカバーの爪部とエンジン側の係合部とを嵌めるようにしている。そのため、それら爪部や係合部といった組み付け部が目視できない場合でも、エンジンカバーをエンジンに組み付けることができるようになり、エンジンカバーの組み付け性が向上するようになる。
【図面の簡単な説明】
【０００８】
【図１】エンジンカバーの組み付け方法が適用される車両の一実施形態におけるエンジンルーム内の構造を示す模式図。
【図２】同実施形態においてエンジンを車両上方から見たときの模式図。
【図３】図２の３−３線に沿った断面図であって、エンジンカバーをエンジンから分離させた状態における断面図。
【図４】図３の４−４線に沿った断面図。
【図５】同実施形態のエンジンカバーを裏側から見たときの模式図。
【図６】同実施形態におけるエンジンカバーの組み付け工程を説明するためのエンジンの部分断面図。
【図７】同実施形態におけるエンジンカバーの組み付け工程を説明するためのエンジンの部分断面図。
【図８】同実施形態の変形例におけるエンジンカバーの組み付け工程を説明するためのエンジンの部分断面図。
【発明を実施するための形態】
【０００９】
以下、エンジンカバーの組み付け方法を具体化した一実施形態について、図１〜図７を参照して説明する。
なお、各図において、車両の前方向を矢印ＦＲ、車両の後ろ方向を矢印ＲＲ、車両の上方向を矢印ＵＰ、車両の下方向を矢印ＤＮで示す。また、車両の幅方向であって車両の前方向に向かって右側の方向を矢印ＲＴで示し、同じく車両の前方向に向かって左側の方向を矢印ＬＴで示す。
【００１０】
図１に示すように、車両１０の前部に設けられたエンジンルームの上方には、エンジンフード１１が設けられており、同エンジンルーム内には、エンジン２０が搭載されている。
【００１１】
エンジン２０の上面には、過給機による過給で昇温した吸気を冷却する金属製のインタークーラー３０が配置されている。
インタークーラー３０の上方には、エンジン２０の上方を覆う意匠カバーとしてのエンジンカバー４０が組み付けられている。なお、本実施形態では、エンジンカバーの材質がナイロン樹脂となっているが、他の材質でもよい。
【００１２】
図２及び図４に示すように、エンジン２０の上面であってその後方には、インタークーラー３０を跨ぐようにして支持部材７０が固定されている。
支持部材７０は、エンジン２０の上面に固定されてエンジン２０の上方に延びておりエンジン２０の幅方向における２箇所にそれぞれ設けられたブラケット１２と、両端が各ブラケット１２の上部に固定されたシャフト１４と、シャフト１４の中央付近に固定されており弾性部材で形成された円筒状の係合部１６とを備えている。なお、本実施形態では、係合部１６を合成ゴムで形成しているが、他の材質でもよい。
【００１３】
図１や図３に示すように、エンジン２０の上面であって前方の右側及び前方の左側の位置には、エンジン２０の上方に伸びており先端がボール状に形成されたピン１３が固定されている。なお、こうしたピン１３の配設数は適宜変更することができる。
【００１４】
図２、図３及び図４に示すように、インタークーラー３０においてエンジンカバー４０に対向する面（インタークーラー３０の上面）には、車両の前後方向に延びる凹部３２が形成されている。この凹部３２は、インタークーラー３０の上面を前部から後部にわたって形成されている。
【００１５】
図２、図３及び図４に示すように、エンジンカバー４０においてインタークーラー３０に対向する側の面（エンジンカバー４０の裏面）には、インタークーラー３０に向かって突出したウレタン樹脂製の凸部６５と、エンジンカバー４０に一体形成されており上記係合部１６が嵌まる爪部５０とが設けられている。また、エンジンカバー４０の裏面には、エンジンカバー４０に一体形成されており上記ピン１３の先端が挿入・固定されるグロメット部４２も設けられている。
【００１６】
グロメット部４２は、エンジンカバー４０の裏面において前方の右側及び前方の左側の位置であって上記各ピン１３の配設位置に合わせた位置にそれぞれ形成されている。なお、グロメット部４２の配設数は、ピン１３の配設数に合わせて適宜変更することができる。
【００１７】
爪部５０は、エンジンカバー４０の裏面における後部であって幅方向中央付近の位置に形成されており、エンジンカバー４０の裏面から突出するとともに後方に向かって広がる開口形状をなしている。また、爪部５０の幅方向における両端には爪部５０を補強する側壁５２が形成されている（図３及び図４を参照）。また、爪部５０において各側壁５２の間には、エンジンカバー４０をエンジン２０に組み付けた際、上記係合部１６の外周面が当たる円弧面を有したリブ５３が所定の間隔を空けて２つ形成されている（図３及び図４を参照）。
【００１８】
図２及び図３に示すように、凸部６５は、エンジンカバー４０の裏面において上記爪部５０よりも前方であって幅方向中央付近の位置に設けられている。また、凸部６５は、エンジンカバー４０の組み付けに際して上記凹部３２に嵌まる部位であり、凸部６５の幅方向の長さＷ１は、凹部３２の幅方向の長さＷ２よりも若干短くなっている。
【００１９】
図５に示すように、エンジンカバー４０の裏面には、ウレタン樹脂で形成されており上記凸部６５が一体形成されたシート部材６０が貼り付けられている。このシート部材６０は、図５に斜線にて示すように、上記グロメット部４２及び爪部５０を避けるようにしてエンジンカバー４０の裏面に貼り付けられている。こうしたシート部材６０をエンジンカバー４０の裏面に設けることにより、エンジンカバー４０の振動が抑えられるとともに、エンジンの静粛性も向上する。
【００２０】
次に、図６及び図７を参照して、エンジンカバー４０をエンジン２０に組み付ける工程を説明する。なお、エンジンカバー４０を組み付けるときには、エンジン２０がエンジンルームに搭載されており、エンジンフード１１が開いた状態になっている。
【００２１】
図６に示すように、まず、エンジンカバー４０の前後方向とエンジン２０の前後方向とを合わせつつ、爪部５０が係合部１６よりも車両前方の位置になっている状態で、第１工程として、エンジンカバー４０の凸部６５をインタークーラー３０の凹部３２に嵌める作業を実施する。この第１工程を行った後に、図７に示す第２工程を実施する。
【００２２】
図７に示すように、第２工程では、エンジンカバー４０の凸部６５を凹部３２に沿わせながらエンジンカバー４０を車両後方（図７に示す矢印Ｓ１方向）にスライドさせることにより、エンジンカバー４０の爪部５０を係合部１６に嵌める作業を実施する。これら爪部５０及び係合部１６といった組み付け部により、エンジンカバー４０の後部がエンジン２０に固定される。
【００２３】
そして、上記第２工程の実施後、上記ピン１３を上記グロメット部４２に挿入・固定することにより、エンジンカバー４０の前部がエンジン２０に固定され、これによりエンジン２０に対するエンジンカバー４０の組み付けが完了する。
【００２４】
以上説明した上記実施形態によれば、次の作用効果を得ることができる。
（１）エンジンカバー４０に設けられた凸部６５をインタークーラー３０に設けられた凹部３２に沿わせながらエンジンカバー４０をスライドさせることにより、エンジンカバー４０の爪部５０とエンジン側の係合部１６とを嵌めるようにしている。そのため、それら爪部５０や係合部１６といった組み付け部を作業者が目視できない場合でも、エンジンカバー４０をエンジン２０に組み付けることができるようになり、エンジンカバー４０の組み付け性が向上するようになる。
【００２５】
（２）凸部６５をウレタン樹脂で形成しているため、金属製のインタークーラー３０の凹部３２に凸部６５が接触しても、インタークーラー３０の凹部３２には傷が付きにくい。また、ウレタン樹脂は比較的軟らかい材質であるため、凸部６５と凹部３２との衝突による異音の発生も抑えられる。
【００２６】
なお、上記実施形態は、これを適宜変更した以下の形態にて実施することもできる。
・シート部材６０の材質を、ウレタン樹脂以外の材質にしてもよい。
・シート部材６０と凸部６５とを別部材で構成してもよい。
【００２７】
・シート部材６０を省略して凸部６５だけをエンジンカバー４０の裏面に設けてもよい。
・爪部５０及び係合部１６の数は適宜変更してもよい。
【００２８】
・上記実施形態で説明した支持部材７０の形状は一例であり、要は、爪部５０が嵌まる位置となるように係合部１６の位置決めをしつつ同係合部１６をエンジン２０側に固定できる形状であればよい。
【００２９】
・上記第２工程では、爪部５０を係合部１６に嵌める際、エンジンカバー４０を車両後方にスライドさせたが、エンジンカバー４０を車両前方にスライドさせることにより、爪部５０を係合部１６に嵌めるようにしてもよい。こうした変形例を図８に示す。
【００３０】
図８に示すように、爪部５０を、エンジンカバー４０の裏面から突出するとともに車両前方に向かって広がる開口形状となるように形成する。そして、上記第２工程では、エンジンカバー４０の凸部６５を凹部３２に沿わせながらエンジンカバー４０を車両前方（図７に示す矢印Ｓ２方向）にスライドさせることにより、係合部１６よりも車両後方に位置していた爪部５０を係合部１６に嵌めるようにする。こうした変形例でも、上記実施形態に準じた作用効果を得ることができる。
【００３１】
・エンジンカバー４０の裏面における凸部６５、爪部５０、及びグロメット部４２の配設位置は適宜変更することができる。また、爪部５０やグロメット部４２の配設位置に応じて係合部１６やピン１３の配設位置も適宜変更することができる。
【００３２】
・エンジンカバー４０の前部を上記ピン１３及び上記グロメット部４２にて固定するようにしたが、他の部材で固定してもよい。
【符号の説明】
【００３３】
１０…車両、１１…エンジンフード、１２…ブラケット、１３…ピン、１４…シャフト、１６…係合部、２０…エンジン、３０…インタークーラー、３２…凹部、４０…エンジンカバー、４２…グロメット部、５０…爪部、５２…側壁、５３…リブ、６０…シート部材、６５…凸部、７０…支持部材。
【図１】
2019019710.tif 000003
【図２】
2019019710.tif 000004
【図３】
2019019710.tif 000005
【図４】
2019019710.tif 000006
【図５】
2019019710.tif 000007
【図６】
2019019710.tif 000008
【図７】
2019019710.tif 000009
【図８】
2019019710.tif 000010